(57)【要約】      （修正有）【課題】組立や部品の交換が容易な高速データコネクタを提供する。【解決手段】第１の導電端子１１、第２の導電端子１２、絶縁体中心部２、絶縁体カバー３、金属板４および金属部本体５から構成する。第１の導電端子および第２の導電端子は、それぞれ絶縁体中心部の第１の導電端子収納溝および第２の導電端子収納溝内に配置され、端子嵌合部により固定される。第１の導電端子、第２の導電端子、絶縁体中心部からなる結合体は、端子収納孔３１および絶縁体カバー３内部に配置され、絶縁体カバーは、金属部本体内部５１内に配置されることにより金属部本体と結合する。金属板４は、金属部本体内部に配置され、突起および嵌合溝５２により金属部本体と結合する。【選択図】図２
0003194472.tif 000002
【実用新案登録請求の範囲】
【請求項１】
第１の導電端子と、
第２の導電端子と、
前記第１の導電端子および前記第２の導電端子に沿って収納する第１の導電端子収納溝および第２の導電端子収納溝と、前記第１の導電端子および前記第２の導電端子をそれらの内部に固定して結合する端子嵌合部とを有し、これらからなる結合体を構成する絶縁体中心部と、
一端から上記結合体を構成する絶縁体中心部を挿入して内部に嵌合して収納する絶縁体カバ内部を具えると共に他端に前記第１の導電端子、前記第２の導電端子を突出する端子収納孔を設けて、その内部に収納した絶縁体中心部の上記第１の導電端子および前記第２の導電端子を突出させると共に上記第１の導電端子および前記第２の導電端子の他端を側方に向けて突出させた絶縁体カバと、
上記絶縁体カバを内部に収納すると共に一側を開放する収納空間を有し、上記絶縁体カバを一端の開口から挿入して該収納空間に収納すると共にその他端で絶縁体カバ他端から突出した上記第１の導電端子および前記第２の導電端子を連接し、該絶縁体カバの一側から突出する上記第１の導電端子および前記第２の導電端子の他端を上記収納空間の解放面から露出せしめて収容し、
上記絶縁体カバを挿入した一端の開口に、側縁に突起を設けた金属板の突起と嵌合固定する嵌合溝を設けた金属部本体と、
から構成することを特徴とする高速データコネクタ。
【請求項２】
前記第１の導電端子は、前記第２の導電端子より長いことを特徴とする請求項１に記載の高速データコネクタ。
【請求項３】
前記第１の導電端子および第２の導電端子は、それぞれ前記絶縁体中心部の第１の導電端子収納溝および第２の導電端子収納溝内に配置されていることを特徴とする請求項１に記載の高速データコネクタ。
【請求項４】
前記絶縁体カバは、前記絶縁体中心部が連接することを特徴とする請求項１に記載の高速データコネクタ。
【請求項５】
前記金属部本体内部は、前記第１の導電端子、前記第２の導電端子、前記絶縁体中心部および前記絶縁体カバからなる結合体が連接することを特徴とする請求項１に記載の高速データコネクタ。
【考案の詳細な説明】
【技術分野】
【０００１】
本考案は、コネクタに関し、特に、高速データコネクタに関する。
【背景技術】
【０００２】
コネクタは、システムと電気機器とを結ぶ重要な基礎デバイスで、航空宇宙分野、コンピューター、通信など広範囲に用いられ、用途が多彩で、最も注目されているデバイスの一つである。その進歩の過程で信号伝達およびデジタル化、各種信号伝達の統合化、小型化という特徴を持つに至った。コネクタには、体積が小さいため、生産過程が複雑で、組立や部品の交換が困難という短所があった。
【先行技術文献】
【特許文献】
【０００３】
【特許文献１】特開２００９−１４０９３６号公報
【特許文献２】特開２００３−１６８５２２号公報
【考案の概要】
【考案が解決しようとする課題】
【０００４】
本考案の目的は、生産過程が簡単で、組立や部品の交換が容易な高速データコネクタを提供することにある。
【課題を解決するための手段】
【０００５】
上述の目的を達成するため、本考案は、高速データコネクタを提供する。本考案の高速データコネクタは、第１の導電端子、第２の導電端子、第１の絶縁体中心部、第１の絶縁体カバ、金属板および金属部本体から構成する。第１の絶縁体中心部２は、第１の導電端子収納溝、第２の導電端子収納溝および端子嵌合部を有する。第１の導電端子および第２の導電端子は、それぞれ第１の絶縁体中心部の第１の導電端子収納溝および第２の導電端子収納溝内に配置され、端子嵌合部により固定される。第１の導電端子、第２の導電端子および第１の絶縁体中心部からなる結合体は、端子収納孔および絶縁体カバ内部内に配置されることにより第１の絶縁体カバに結合し、金属部本体内部に配置されることにより金属部本体と結合する。金属板は、金属部本体内部に配置され、突起および嵌合溝により金属部本体と結合する。
【考案の効果】
【０００６】
本考案の高速データコネクタは、絶縁体中心部、導電端子などのデバイスを組立やすい構造にすることにより、生産過程を簡略にし、組立や部品の交換を容易にすることができる。
【図面の簡単な説明】
【０００７】
【図１】本考案の第１の実施形態による高速データコネクタを示す斜視図である。
【図２】本考案の第１の実施形態による高速データコネクタを示す分解斜視図である。
【図３】本考案の第１の絶縁体中心部を示す斜視図および断面図である。
【図４】第１の導電端子、第２の導電端子および第１の絶縁体中心部を示す分解斜視図である。
【図５】第１の導電端子、第２の導電端子および第１の絶縁体中心部の結合体を示す斜視図である。
【図６】第１の絶縁体カバを示す正面図、背面図および斜視図である。
【図７】第１の導電端子、第２の導電端子および第１の絶縁体中心部からなる結合体が第１の絶縁体カバ内に配置された状態を示す正面図および斜視図である。
【図８】第１の導電端子、第２の導電端子、第１の絶縁体中心部、第１の絶縁体カバ内が金属部本体と結合した状態を示す斜視図である。
【図９】金属板が突起により金属部本体に結合された状態を示す斜視図である。
【図１０】本考案の第２の実施形態による高速データコネクタを示す分解斜視図である。
【図１１】導電端子および第２の絶縁体中心部を示す分解斜視図である。
【図１２】第２の絶縁体中心部および第２の絶縁体カバの結合体を示す斜視図である。
【図１３】第２の絶縁体中心部および第２の絶縁体カバの結合体を示す断面図である。
【考案を実施するための形態】
【０００８】
以下、本考案の実施形態を図面に基づいて説明する。
【実施例】
【０００９】
図１および図２を参照する。図１は、本考案の第１の実施形態による高速データコネクタを示す斜視図である。図２は、本考案の第１の実施形態による高速データコネクタを示す分解斜視図である。図１および図２に示すように、本考案の高速データコネクタは、第１の導電端子１１、第２の導電端子１２、第１の絶縁体中心部２、第１の絶縁体カバ３、金属板４および金属部本体５を有する。
【００１０】
図３を参照する。図３は、本考案の第１の絶縁体中心部を示す斜視図および断面図である。図３に示すように、本考案の第１の絶縁体中心部２は、第１の導電端子収納溝２１、第２の導電端子収納溝２２および端子嵌合部２３を有する。
【００１１】
図４および図５を参照する。図４は、第１の導電端子、第２の導電端子および第１の絶縁体中心部を示す分解斜視図である。図５は、第１の導電端子、第２の導電端子および第１の絶縁体中心部の結合体を示す斜視図である。図４および図５に示すように、第１の導電端子１１および第２の導電端子１２は、それぞれ第１の絶縁体中心部２の第１の導電端子収納溝２１および第２の導電端子収納溝２２内に配置され、端子嵌合部２３により固定される。これにより、第１の導電端子１１および第２の導電端子１２が、第１の絶縁体中心部２と結合される。
【００１２】
図６および図７を参照する。図６は、第１の絶縁体カバを示す正面図、背面図および斜視図である。図７は、第１の導電端子、第２の導電端子および第１の絶縁体中心部からなる結合体が第１の絶縁体カバ内に配置された状態を示す正面図および斜視図である。図６および図７に示すように、第１の導電端子１１、第２の導電端子１２および第１の絶縁体中心部２からなる結合体は、第１の絶縁体カバ３の端子収納孔３１および絶縁体カバ内部３２内に配置されることにより結合する。
【００１３】
図８を参照する。図８は、第１の導電端子、第２の導電端子、第１の絶縁体中心部、第１の絶縁体カバ内が金属部本体と結合した状態を示す斜視図である。図８に示すように、第１の導電端子１１、第２の導電端子１２、第１の絶縁体中心部２および第１の絶縁体カバ３からなる結合体は、金属部本体５の金属部本体内部５１内に配置されることにより金属部本体５と結合する。
【００１４】
図９を参照する。図９は、金属板が突起により金属部本体に結合された状態を示す斜視図である。図９に示すように、金属板４は、金属部本体内部５１内に配置され、突起４１および嵌合溝５２により金属部本体５と結合する。
【００１５】
図１０を参照する。図１０は、本考案の第２の実施形態による高速データコネクタを示す分解斜視図である。図１０に示すように、本考案の高速データコネクタは、導電端子６、第２の絶縁体中心部７および第２の絶縁体カバ８からなる。
【００１６】
図１１を参照する。図１１は、導電端子および第２の絶縁体中心部を示す分解斜視図である。図１１に示すように、第２の絶縁体中心部７は、端子収納溝７１、端子嵌合部７２および絶縁体内部７３を有する。導電端子６は、突起６１を具える。導電端子６は、第２の絶縁体中心部７の端子収納溝７１内に配置され、端子嵌合部７２が突起６１と結合することにより、導電端子６の軸方向位置が確定される。
【００１７】
図１２および図１３を参照する。図１２は、第２の絶縁体中心部および第２の絶縁体カバーの結合体を示す斜視図である。図１３は、第２の絶縁体中心部および第２の絶縁体カバの結合体を示す断面図である。図１２および図１３に示すように、第２の絶縁体中心部７の絶縁体内部７３は、第２の絶縁体カバ８の絶縁体カバ内部８１内に配置され、結合体を形成する。
【００１８】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１９】
２  第１の絶縁体中心部
３  第１の絶縁体カバ
４  金属板
５  金属部本体
６  導電端子
７  第２の絶縁体中心部
８  第２の絶縁体カバ
１１  第１の導電端子
１２  第２の導電端子
２１  第１の導電端子収納溝
２２  第２の導電端子収納溝
２３  端子嵌合部
３１  端子収納孔
３２  絶縁体カバ内部
４１  突起
５１  金属部本体内部
５２  嵌合溝
６１  突起
７１  端子収納溝
７２  端子嵌合部
７３  絶縁体内部
８１  絶縁体カバ内部
【図１】
0003194472.tif 000003
【図２】
0003194472.tif 000004
【図３】
0003194472.tif 000005
【図４】
0003194472.tif 000006
【図５】
0003194472.tif 000007
【図６】
0003194472.tif 000008
【図７】
0003194472.tif 000009
【図８】
0003194472.tif 000010
【図９】
0003194472.tif 000011
【図１０】
0003194472.tif 000012
【図１１】
0003194472.tif 000013
【図１２】
0003194472.tif 000014
【図１３】
0003194472.tif 000015